(57)【特許請求の範囲】
【請求項１】
原稿搬送装置本体と、該本体に装着された原稿給紙テーブルとを含む原稿搬送装置における該テーブル上にセットされた原稿を検知するための原稿検知装置であって、スイッチ手段と、スイッチ手段をＯＮ−ＯＦＦ作動させるための作動手段とを備えている原稿検知装置において、
スイッチ手段は該本体に配設され、
作動手段は、該テーブルの裏側に軸手段を介して揺動自在に支持された第１作動レバーと、該本体の内側に軸手段を介して揺動自在に支持された第２作動レバーとを備え、該テーブルの、原稿が載置される領域内には貫通孔が形成され、該本体の表面の一部を規定するカバー部には第２作動レバーに関連して貫通孔が形成され、第１作動レバーは、軸手段を境界とする片側の一部分が上昇させられて該テーブルの貫通孔を通して該テーブルの表面から突出しかつ軸手段を境界とする他側の他端部が下降させられる非作動位置と、該テーブル上に載置された原稿により該一部分が押し下げられかつ他端部が上昇させられる作動位置との間を揺動自在であり、第２作動レバーは、その一端部が上昇させられて該本体のカバー部の貫通孔を通して該本体の表面から突出して第１作動レバーの他端部に当接させられると共に、非作動位置に揺動させられた第１作動レバーの他端部により該一端部が押し下げられかつ他端部が上昇させられる非作動位置と、作動位置に揺動させられた第１作動レバーの他端部の上昇に追従して該一端部が上昇させられかつ他端部が下降させられる作動位置との間を揺動自在であり、スイッチ手段は第２作動レバーの他端部によってＯＮ−ＯＦＦ作動させられるよう該本体の内側に配設されている、ことを特徴とする原稿検知装置。
【請求項２】
原稿搬送装置本体と、該本体に装着された原稿給紙テーブルとを含む原稿搬送装置における該テーブル上にセットされた原稿を検知するための原稿検知装置であって、スイッチ手段と、スイッチ手段をＯＮ−ＯＦＦ作動させるための作動手段とを備えている原稿検知装置において、
スイッチ手段は該本体に配設され、
作動手段は、該テーブルの裏側に軸手段を介して揺動自在に支持された作動レバーを備え、該テーブルの、原稿が載置される領域内には貫通孔が形成され、該本体の表面の一部を規定するカバー部には作動レバーに関連して貫通孔が形成され、作動レバーは、軸手段を境界とする片側の一部分が上昇させられて該テーブルの貫通孔を通して該テーブルの表面から突出しかつ軸手段を境界とする他側における他端部が該本体のカバー部の貫通孔の外側であって該本体の表面の外側に位置付けられる非作動位置と、該テーブル上に載置された原稿により該一部分が押し下げられると共に他端部が上昇させられる作動位置との間を揺動自在であり、スイッチ手段は光学式反射型センサから構成され、該センサは、該本体の貫通孔を通して作動レバーの他端部に光を照射しうるよう、該本体の内側に配設されている、ことを特徴とする原稿検知装置。
【発明の詳細な説明】
【０００１】
【発明の属する技術分野】
本発明は、原稿検知装置、更に詳しくは、静電複写機、レーザプリンタ、ファクシミリ等の画像形成機に備えられた原稿搬送装置における原稿給紙テーブル上にセットされた原稿を検知するための原稿検知装置に関する。
【０００２】
【従来の技術】
画像形成機、例えば静電複写機には、一般的に原稿搬送装置が備えられている。複写機に備えられた原稿搬送装置の一つの典型例は、原稿搬送装置本体に装着された原稿給紙テーブルと、原稿給紙テーブルの下方に間隔をおいて配設された原稿排出トレイと、原稿給紙テーブル上にセットされた原稿を原稿搬送路を通して搬送して原稿排出トレイ上に排出する原稿搬送手段とを含んでいる。原稿給紙テーブルには一対の幅規制部材が配設されている。一対の幅規制部材は、原稿を、そのサイズに応じて該テーブルの所定の幅方向位置に位置付けるため、該幅方向に相互に接近及び離隔する方向に移動自在に該テーブルに配設されている。原稿給紙テーブルに例えば複数枚からなる１セットの原稿がセットされ、複写開始キーがＯＮされると、原稿給紙テーブル上にセットされた原稿は、原稿搬送手段によって１枚づつ順次、原稿搬送路を通して搬送され、原稿排出トレイ上に全数が排出される。原稿搬送手段によって１枚づつ搬送される原稿の画像は、原稿搬送路の途中に配設された画像読取位置を通過する過程において、複写機に配設された画像読取装置に含まれる画像読取手段によって読み取られ、記憶装置により画像情報として記憶される。記憶装置により記憶された画像情報は、原稿搬送装置の上記搬送動作に並行して行なわれる、複写機の画像形成手段の作動により、用紙に転写・定着される。画像形成手段による画像形成動作の繰り返しによって全原稿の画像の複写が行なわれる。
【０００３】
上記原稿搬送装置には、原稿給紙テーブル上にセットされた原稿を検知するための原稿検知装置が配設されている。原稿検知装置には、原稿給紙テーブル上にセットされた原稿の幅方向位置を検知するための原稿検知装置と、原稿給紙テーブル上にセットされた原稿の長手方向位置を検知するための原稿検知装置とがある。原稿の幅方向位置を検知するための原稿検知装置の一つの典型例は、片方の幅規制部材に一体的に設けられた摺動子と、摺動子の移動径路に沿って配設された抵抗部材とから構成されている。これら摺動子及び抵抗部材は、原稿給紙テーブルに内蔵されている。原稿給紙テーブル上にセットされた原稿の幅方向のサイズに対応して片方の幅規制部材を幅方向に移動させると、片方の幅規制部材の幅方向への移動に同期して摺動子が抵抗部材の表面に接触しながら移動させられ、原稿検知回路における抵抗の変化が片方の幅規制部材の幅方向位置の変化として検出されるので、原稿の幅方向位置が検知される。
【０００４】
原稿の長手方向位置を検知するための原稿検知装置の一つの典型例は、原稿給紙テーブルの、原稿が載置される領域内に形成された透明部と、透明部の裏側に配設された光学式反射型センサとにより構成されている。この透明部は、該テーブルの下流端部における幅方向中央であって、該テーブルに載置された原稿のうち、例えば、ＪＩＳに規定されたＡ３あるいはＢ４サイズの原稿によって覆われる位置に配置される。上記センサは、透明部を通して該テーブル上に載置された上記サイズの原稿に光を照射しうるよう配設されている。
【０００５】
【発明が解決しようとする課題】
上記説明から容易に理解されるように、原稿の幅方向位置を検知する原稿検知装置においては、摺動子及び抵抗部材は原稿給紙テーブルに内蔵され、また原稿の長手方向位置を検知する原稿検知装置においては、光学式反射型センサは原稿給紙テーブルに配設されている。すなわち従来の原稿検知装置においては、電源に電線を介して接続する必要のある電気部品がいずれも原稿給紙テーブルに配設されているので、原稿給紙テーブルの裏側に電線を這わせて配設しなければならず、原稿給紙テーブルの裏側の構造が複雑となり、また這わせた電線を隠すためのカバー、電線を必要とする電気部品を原稿給紙テーブルに配設するための取付板、取付用のビス等、多くの部品が必要となる。また摺動子及び抵抗部材を原稿給紙テーブルに内蔵する原稿検知装置においては、原稿給紙テーブルの構造が一層複雑となる。以上の結果、従来の原稿検知装置においては、原稿給紙テーブルの構造が複雑となり、また部品点数が多くなるので、結果として原稿搬送装置の製造コストがアップする。また上記電気部品あるいは電線を原稿給紙テーブルに配設する作業が煩雑となって、組付作業、交換作業が比較的困難となる。更にはまた、原稿給紙テーブルを原稿搬送装置本体に装着するに際し、原稿給紙テーブルに配設された電線の端部を、原稿搬送装置本体の後端部内に収容するため、原稿搬送装置本体の後端部に配設されたカバーを取り外し、電線の端部を収容した後、カバーを取り付ける、といった電線処理作業が必要となる。このような電線処理作業は、比較的煩雑であり、比較的多くの労力と時間を要するので、セットアップ及びメンテナンスにおける作業性に難がある。
【０００６】
本発明の目的は、原稿給紙テーブルの構造を従来よりも簡単にすることを可能にし、その結果、原稿搬送装置を従来よりも低コストで製造することを可能にする、新規な原稿検知装置を提供することである。
【０００７】
本発明の他の目的は、従来よりも部品点数を少なくすることを可能にし、その結果、原稿搬送装置を従来よりも低コストで製造することを可能にする、新規な原稿検知装置を提供することである。
【０００８】
本発明の更に他の目的は、電線を必要とする電気部品を原稿給紙テーブルに配設することなく、原稿給紙テーブル上に載置された原稿の検知を可能にし、その結果、電線処理作業を従来よりも容易に遂行することが可能となり、セットアップ及びメンテナンスにおける優れた作業性を確保することを可能にする、新規な原稿検知装置を提供することである。
【０００９】
【課題を解決するための手段】
本発明の一局面によれば、原稿搬送装置本体と、該本体に装着された原稿給紙テーブルとを含む原稿搬送装置における該テーブル上にセットされた原稿を検知するための原稿検知装置であって、スイッチ手段と、スイッチ手段をＯＮ−ＯＦＦ作動させるための作動手段とを備えている原稿検知装置において、
スイッチ手段は該本体に配設され、
作動手段は、該テーブルの裏側に軸手段を介して揺動自在に支持された第１作動レバーと、該本体の内側に軸手段を介して揺動自在に支持された第２作動レバーとを備え、該テーブルの、原稿が載置される領域内には貫通孔が形成され、該本体の表面の一部を規定するカバー部には第２作動レバーに関連して貫通孔が形成され、第１作動レバーは、軸手段を境界とする片側の一部分が上昇させられて該テーブルの貫通孔を通して該テーブルの表面から突出しかつ軸手段を境界とする他側の他端部が下降させられる非作動位置と、該テーブル上に載置された原稿により該一部分が押し下げられかつ他端部が上昇させられる作動位置との間を揺動自在であり、第２作動レバーは、その一端部が上昇させられて該本体のカバー部の貫通孔を通して該本体の表面から突出して第１作動レバーの他端部に当接させられると共に、非作動位置に揺動させられた第１作動レバーの他端部により該一端部が押し下げられかつ他端部が上昇させられる非作動位置と、作動位置に揺動させられた第１作動レバーの他端部の上昇に追従して該一端部が上昇させられかつ他端部が下降させられる作動位置との間を揺動自在であり、スイッチ手段は第２作動レバーの他端部によってＯＮ−ＯＦＦ作動させられるよう該本体の内側に配設されている、ことを特徴とする原稿検知装置、が提供される。
【００１０】
本発明の更に他の局面によれば、原稿搬送装置本体と、該本体に装着された原稿給紙テーブルとを含む原稿搬送装置における該テーブル上にセットされた原稿を検知するための原稿検知装置であって、スイッチ手段と、スイッチ手段をＯＮ−ＯＦＦ作動させるための作動手段とを備えている原稿検知装置において、
スイッチ手段は該本体に配設され、
作動手段は、該テーブルの裏側に軸手段を介して揺動自在に支持された作動レバーを備え、該テーブルの、原稿が載置される領域内には貫通孔が形成され、該本体の表面の一部を規定するカバー部には作動レバーに関連して貫通孔が形成され、作動レバーは、軸手段を境界とする片側の一部分が上昇させられて該テーブルの貫通孔を通して該テーブルの表面から突出しかつ軸手段を境界とする他側における他端部が該本体のカバー部の貫通孔の外側であって該本体の表面の外側に位置付けられる非作動位置と、該テーブル上に載置された原稿により該一部分が押し下げられると共に他端部が上昇させられる作動位置との間を揺動自在であり、スイッチ手段は光学式反射型センサから構成され、該センサは、該本体の貫通孔を通して作動レバーの他端部に光を照射しうるよう、該本体の内側に配設されている、ことを特徴とする原稿検知装置、が提供される。
【００１３】
【発明の実施の形態】
以下、本発明に従って構成された原稿検知装置の好適実施形態を添付図面を参照して説明する。なお、図１〜図１５において、実質上同一部分は同一符号で示してある。図１を参照して、その一部のみを示す複写機１００は、直方体状の複写機本体１０２を備えている。複写機本体１０２の上面には原稿搬送装置１０が装着されている。原稿搬送装置１０は、複写機本体１０２の後端部に図示しない一対のヒンジ機構を介して複写機本体１０２の上面を覆う閉位置と、複写機本体１０２の上面をを開放する開位置との間を旋回自在に装着されている。原稿搬送装置１０は、原稿搬送装置本体１２に装着された原稿給紙テーブル１４と、原稿給紙テーブル１４の下方に間隔をおいて配設された原稿排出トレイ１６と、原稿給紙テーブル１４上にセットされた原稿を原稿搬送路を通して搬送して原稿排出トレイ１６上に排出する図示しない原稿搬送手段とを含んでいる。原稿給紙テーブル１４には、一対の幅規制部材１８と、幅規制部材１８の各々を同期して連動させる図示しない連動機構とが配設されている。一対の幅規制部材１８は、原稿を、そのサイズに応じて該テーブルの所定の幅方向位置に位置付けるため、該幅方向に相互に接近及び離隔する方向に移動自在に該テーブルに配設されている。複写機本体１０２内に配設される各種機器類、装置類等、それら自体は周知の構成を利用することでよく、また本発明の特徴をなすものではないので説明は省略する。また原稿搬送装置１０は、本発明による原稿検知装置（後述する）に関連する部分を除き、それ自体は周知の構成を利用することでよく、また本発明の特徴をなすものではないので説明は省略する。
【００１４】
原稿給紙テーブル１４に例えば複数枚からなる１セットの原稿がセットされ、複写開始キーがＯＮされると、原稿給紙テーブル１４上にセットされた原稿は、原稿搬送手段によって１枚づつ順次、原稿搬送路を通して搬送され、原稿排出トレイ１６上に全数が排出される。原稿搬送手段によって１枚づつ搬送される原稿の画像は、原稿搬送路の一部領域であって複写機本体１０２の上面の一部領域と協動して形成される画像読取位置を通過する過程において、複写機本体１０２に配設された画像読取装置に含まれる画像読取手段によって読み取られ、記憶装置により画像情報として記憶される。記憶装置により記憶された画像情報は、原稿搬送装置１０の上記搬送動作に並行して行なわれる、複写機本体１０２の画像形成手段の作動により、用紙に転写・定着される。画像形成手段による画像形成動作の繰り返しによって全原稿の画像の複写が行なわれる。
【００１５】
次に本発明による原稿検知装置について説明する。なお、以下の記載において、左右方向、左、右、前後方向、前、後とは、複写機１００及び原稿搬送装置１０を正面から見たときの左右方向、左、右、前後方向、前、後を意味するものとする。また原稿給紙テーブル１４における幅方向とは上記前後方向を意味し、長手方向とは上記左右方向を意味するものである。更にはまた、原稿給紙テーブル１４における上流側（原稿搬送方向の上流側）とは、上記左右方向の右側を意味し、下流側（原稿搬送方向の下流側）とは、上記左右方向の左側を意味するものである。
【００１６】
図１に示す原稿搬送装置１０には、原稿給紙テーブル１４上にセットされた原稿を検知するための原稿検知装置の一つの実施形態が配設されている。図１〜図３を参照して、図示の原稿検知装置は、スイッチ手段を構成する光学式透過型センサＳ１と、センサＳ１をＯＮ−ＯＦＦ作動させるための作動手段（アクチュエータ）を構成する第１作動レバー２０及び第２作動レバー２２とを備えている。センサＳ１は原稿搬送装置本体１２に配設され、第１作動レバー２０及び第２作動レバー２２は、原稿給紙テーブル１４に配設されている。この原稿検知装置は、原稿給紙テーブル１４上にセットされた所定サイズの原稿、例えば、ＪＩＳのＢ４サイズ、Ａ３サイズの原稿の長手方向位置を検知することができる。
【００１７】
更に具体的に説明すると、例えばＡＢＳ樹脂等の適宜の合成樹脂から一体に成形することができる原稿給紙テーブル１４の裏側には、一対の支持フランジ２４が相互に左右方向に間隔をおいて平行に垂下するよう一体に形成されている。支持フランジ２４の各々は原稿給紙テーブル１４における上流側端部に配置され、支持フランジ２４の各々には、共通の軸線を有する支持孔が形成されている。支持孔の各々の軸線は左右方向に水平に延在するよう形成されている。例えばＡＢＳ樹脂等の適宜の合成樹脂から一体に成形することができる第１作動レバー２０は、ほぼ一定の幅及び一定の厚さを有する帯板形状をなすよう形成され、第１作動レバー２０における長手方向の中央よりも若干片側に偏った位置に、貫通孔を有する円筒状のボス部２０Ａが形成されている。第１作動レバー２０は、ボス部２０Ａの軸線方向に見て、ボス部２０Ａを挟んだ両側はほぼ直線状に延在する直線状部に形成され、第１作動レバー２０の一端部２０ａは、直線状部の一端から直線状部の片面側にほぼ直角に直線状に延び出すよう形成され、第１作動レバー２０の他端部２０ｂは、直線状部の他端から直線状部の他面側にほぼ直角に延び出した先端から第１作動レバー２０の長手方向外側に直線状に延び出すよう形成されている。支持フランジ２４の各々の支持孔に支持ピン２６が装着され、第１作動レバー２０のボス部２０Ａの貫通孔が支持ピン２６に揺動自在に支持されることにより、第１作動レバー２０は支持フランジ２４間に揺動自在に支持される。第１作動レバー２０のボス部２０Ａ、支持ピン２６等は、第１作動レバー２０の軸手段を構成する。なお、支持ピン２６を第１作動レバー２０と一体に成形する実施形態もある。
【００１８】
原稿給紙テーブル１４の、原稿が載置される領域内には貫通孔２８が形成されている。貫通孔２８は、図示の実施形態においては、原稿給紙テーブル１４の、支持フランジ２４の各々よりも、手前側に間隔をおいた位置（原稿給紙テーブル１４の幅方向のほぼ中央部）において、一定の幅で左右方向に延在するスリットから構成されている。第１作動レバー２０が支持フランジ２４の各々間に揺動自在に支持されたフリーの状態において、第１作動レバー２０は、支持ピン２６を含む軸手段を境界とする片側の一部分である一端部２０ａが原稿給紙テーブル１４の貫通孔２８を通して該テーブル１４の表面から突出するよう上昇させられ、また他端部２０ｂは下降させられる。これは、第１作動レバー２０の、上記軸手段を境界とする片側（一端部２０ａ側）よりも他側（他端部２０ｂ側）の方が重量が重くなるよう、その重量バランスが設定されていることに起因する。
【００１９】
原稿搬送装置本体１２は、全体を図示しない主静止枠の一部を構成する静止枠３０と、静止枠３０を含む主静止枠に装着された、合成樹脂製枠体３２とを備えている。静止枠３０は原稿搬送装置本体１２の後端部に沿って左右方向に延在するよう配設され、その断面は上方に開放されたチャンネル形状に形成されている。例えば、ＡＢＳ樹脂等の適宜の合成樹脂から一体に成形することができる枠体３２は、ほぼ矩形状をなす本体部３２ａと、本体部３２ａの後端に一体に形成され該後端に沿って左右方向に延在するカバー部３２ｂとを備えている。静止枠３０には図示しない一対のヒンジ機構が装着されている。合成樹脂製枠体３２の本体部３２ａは、原稿搬送装置１０が閉位置に位置付けられた状態で、複写機本体１０２の上面に配設されたそれ自体は周知のガラス板を覆うよう位置付けられ、本体部３２ａの上面は、原稿排出トレイ１６を構成している。合成樹脂製枠体３２のカバー部３２ｂは、断面が、下方に開放されたチャンネル形状に形成され、その上端水平面は、本体部３２ａの上面よりも高い位置に存在するよう形成されている。原稿搬送装置本体１２の表面の一部を規定するカバー部３２ｂは、静止枠３０、図示しない一対のヒンジ機構等を覆うよう配置されている。
【００２０】
例えばＡＢＳ樹脂等の適宜の合成樹脂から一体に成形することができる第２作動レバー２２は、貫通孔を有する円筒状のボス部２２Ａと、ボス部２２Ａの軸方向手前側の一端部から半径方向外側に延び出す被作動部２２ａと、ボス部２２Ａの軸方向後側の他端部から半径方向外側に、被作動部２２ａとはほぼ反対方向に延び出すスイッチ作動部である遮蔽板部２２ｂとを備えている。被作動部２２ａ及び遮蔽板部２２ｂはそれぞれほぼ一定の厚さを有するよう形成されている。ボス部２２Ａの軸線方向に見て、被作動部２２ａはほぼ三角形状に形成され、また遮蔽板部２２ｂは、ほぼ矩形状に形成されているが、遮蔽板部２２ｂの半径方向外側先端部分よりも半径方向内側部分の方が若干、上下方向幅が広く形成されている。第２作動レバー２２は、合成樹脂製枠体３２のカバー部３２ｂの内側において、静止枠３０に支持ピン３４を介して揺動自在に支持されている。支持ピン３４は、静止枠３０の手前側の垂直部と、静止枠３０の後側の垂直部に設けられた支持板との間に配設されている。支持ピン３４は原稿搬送装置本体１２の前後方向に水平に延在するよう配置されている。第２作動レバー２２のボス部２２Ａ、支持ピン３４等は、第２作動レバー２２の軸手段を構成する。なお、支持ピン３４を第２作動レバー２２と一体に成形する実施形態もある。
【００２１】
原稿搬送装置本体１２のカバー部３２ｂには、第２作動レバー２２の被作動部２２ａに関連して貫通孔３６が形成されている。貫通孔３６は、カバー部３２ｂの上端水平部において、一定の幅で左右方向に延在するよう形成されている。図示しない発光素子及び受光素子を含む光学式透過型センサＳ１は、第２作動レバー２２の他端部である遮蔽板部２２ｂによってＯＮ−ＯＦＦさせられるよう、原稿搬送装置本体１２のカバー部３２ｂの内側において、静止枠３０に設けられた支持枠３８に配設されている。センサＳ１は上方が開放されたチャンネル形状をなし、相互に対向する垂直側部に発光素子及び受光素子が配設されている。第２作動レバー２２が静止枠３０に支持ピン３４を含む軸手段を介して揺動自在に支持されたフリーの状態において、第２作動レバー２２は、支持ピン３４を含む軸手段を境界とする片側の一端部である被作動部２２ａがカバー部３２ｂの貫通孔３６を通してカバー部３２ｂの上端水平部から突出するよう上昇させられ、また上記軸手段を境界とする他側の他端部である遮蔽板部２２ｂは下降させられて、その半径方向内側の幅広の部分の下端が支持枠３８の上面に当接させられかつ半径方向外側の幅狭の部分がセンサＳ１の垂直側部間に位置付けられて発光素子から受光素子に向かって照射される光を遮断する（図２において２点鎖線で示される位置参照）。これは、第２作動レバー２２の、上記軸手段を境界とする片側（被作動部２２ａ側）よりも他側（遮蔽板部２２ｂ側）の方が重量が重くなるよう、その重量バランスが設定されていることに起因する。
【００２２】
先に述べたように、第１作動レバー２０は、フリーの状態で支持ピン２６を支点とするシーソーのように、その他端部２０ｂが下降させられるので、他端部２０ｂの下面が、カバー部３２ｂの上端水平部から貫通孔３６を通して突出させられている第２作動レバー２２の被作動部２２ａの上端に当接して所定量だけ押し下げる。このため第２作動レバー２２は支持ピン３４まわりに揺動させられてその遮蔽板部２２ｂが上昇させられ、遮蔽板部２２ｂの半径方向内側の幅広の部分の下端が支持枠３８の上面から上方に離隔させられかつ半径方向外側の幅狭の部分がセンサＳ１の垂直側部間から上方に離隔させられる（図２において実線で示される位置参照）。センサＳ１において、発光素子から受光素子に向かって照射される光は遮断されることなく、受光素子により受光される。
【００２３】
上記原稿検知装置において、第１作動レバー２０は、軸手段を境界とする片側の一部分である一端部２０ａが上昇させられて原稿給紙テーブル１４の貫通孔２８を通して原稿給紙テーブル１４の表面から突出しかつ軸手段を境界とする他側の一部分である他端部２０ｂが下降させられる非作動位置（図２及び図３において実線で示される位置）と、原稿給紙テーブル１４上に載置された原稿により一端部２０ａが押し下げられかつ他端部２０ｂが上昇させられる作動位置（図示せず）との間を揺動自在である。また第２作動レバー２２は、その一端部である被作動部２２ａが原稿搬送装置本体１２のカバー部３２ｂの貫通孔３６を通して原稿搬送装置本体１２の表面から突出して第１作動レバー２０の他端部２０ｂに当接させられると共に、非作動位置に揺動させられた第１作動レバー２０の他端部２０ｂにより被作動部２２ａが押し下げられかつ他端部である遮蔽板部２２ｂが上昇させられる非作動位置（図２において実線で示される位置）と、作動位置に揺動させられた第１作動レバー２０の他端部２０ｂの上昇移動に追従して被作動部２２ａが上昇させられかつ遮蔽板部２２ｂが下降させられる作動位置との間を揺動自在である。センサＳ１は第２作動レバー２２の他端部である遮蔽板部２２ｂによってＯＮ−ＯＦＦ作動させられるよう原稿搬送装置本体１２の内側、すなわちカバー部３２ｂの内側に配設されている。
【００２４】
原稿給紙テーブル１４上に所定サイズの原稿が載置されると、原稿給紙テーブル１４の表面から突出するよう位置付けられている第１作動レバー２０の一端部２０ａが押し下げられて、第１作動レバー２０は非作動位置から作動位置に揺動させられる。第２作動レバー２２は、第１作動レバー２０が非作動位置から作動位置に揺動させられることにより、非作動位置から作動位置に揺動させられる。第２作動レバー２２の遮蔽板部２２ｂが下降させられてセンサＳ１の内側に位置付けられ、原稿有りが検知される。原稿給紙テーブル１４上から所定サイズの原稿が無くなると、第１作動レバー２０は作動位置から非作動位置に揺動させられる。第２作動レバー２２は、第１作動レバー２０が作動位置から非作動位置に揺動させられることにより、作動位置から非作動位置に揺動させられる。第２作動レバー２２の遮蔽板部２２ｂが上昇させられてセンサＳ１の内側から上方に離脱させられ、原稿無しが検知される。
【００２５】
図１〜図３を参照して説明した本発明による原稿検知装置においては、センサＳ１は原稿搬送装置本体１２に配設され、アクチュエータである第１作動レバー２０及び第２作動レバー２２は、原稿給紙テーブル１４に配設されている。すなわち上記原稿検知装置においては、電源に電線を介して接続する必要のある電気部品であるセンサＳ１は、原稿搬送装置本体１２におけるカバー部３２ｂの内側に配設されているので、電線はカバー部３２ｂの内側に配置すればよく、従来装置におけるように、原稿給紙テーブル１４の裏側に電線を這わせて配設する必要がない。また従来装置において必要としていた、原稿給紙テーブル１４の裏側を這わせた電線を隠すためのカバー、電線を必要とする電気部品を原稿給紙テーブル１４に配設するための取付板、取付用のビス等部品が不要となる。以上の結果、原稿給紙テーブルの構造が簡単となり、また部品点数が少なくなるので、結果として原稿搬送装置の製造コストが低減される。また上記電気部品あるいは電線を原稿給紙テーブル１４の裏側に配設する作業が皆無となり、しかも、原稿給紙テーブル１４を原稿搬送装置本体１２に装着するに際し、従来装置におけるような煩雑な電線処理作業も不要となるので、組付作業、交換作業が容易となる。すなわち、本発明による上記原稿検知装置においては、電線を必要とする電気部品を原稿給紙テーブル１４に配設することなく、原稿給紙テーブル１４上に載置された原稿の検知を可能にし、その結果、電線処理作業を従来よりも容易に遂行することが可能となり、セットアップ及びメンテナンスにおける優れた作業性を確保することを可能にする。
【００２６】
次に図４及び図５を参照して、本発明による原稿検知装置の他の実施形態について説明する。図示の原稿検知装置は、スイッチ手段を構成する光学式透過型センサＳ１と、センサＳ１をＯＮ−ＯＦＦ作動させるための作動手段を構成する作動レバー４０とを備えている。センサＳ１は原稿搬送装置本体１２に配設され、作動レバー４０は、原稿給紙テーブル１４に配設されている。この原稿検知装置は、原稿給紙テーブル１４上にセットされた所定サイズの原稿、例えば、ＪＩＳのＢ４サイズ、Ａ３サイズの原稿の長手方向位置を検知することができる。
【００２７】
更に具体的に説明すると、原稿給紙テーブル１４の裏側には、一対の支持フランジ４２が相互に前後方向に間隔をおいて平行に垂下するよう一体に形成されている。支持フランジ４２の各々は原稿給紙テーブル１４における上流側端部に配置され、支持フランジ４２の各々には、共通の軸線を有する支持孔が形成されている。支持孔の各々の軸線は前後方向に水平に延在するよう形成されている。例えばＡＢＳ樹脂等の適宜の合成樹脂から一体に成形することができる作動レバー４０は、貫通孔を有する円筒状のボス部４０Ａと、ボス部４０Ａの軸方向手前側の一端部から半径方向外側に延び出すよう形成された被作動部４０ａと、ボス部４０Ａの軸方向後側の他端部から半径方向外側に、被作動部４０ａとはほぼ反対方向に延び出すよう形成されたスイッチ作動部である遮蔽板部４０ｂとを備えている。被作動部４０ａは、ほぼ矩形状の断面を有しかつ各コーナ部に面取りが施された細長い棒形状に形成され、遮蔽板部４０ｂはほぼ一定の厚さを有するよう形成されている。ボス部４０Ａの軸方向に見て、被作動部４０ａはほぼ逆Ｖ形状をなし、遮蔽板部４０ｂは、半径方向外側に直線状に延びる直線状部分と、直線状部分の先端から直線状部分に対しほぼ直角に延び出す先端部とからなる、ほぼＬ形状部分における、該先端部により構成されている。支持フランジ４２の各々の支持孔に支持ピン４４が装着され、作動レバー４０のボス部４０Ａの貫通孔が支持ピン４４に揺動自在に支持されることにより、作動レバー４０は支持フランジ４２の各々間に揺動自在に支持される。作動レバー４０のボス部４０Ａ、支持ピン４４等は、作動レバー４０の軸手段を構成する。なお、支持ピン４４を作動レバー４０と一体に成形する実施形態もある。
【００２８】
原稿給紙テーブル１４の、原稿が載置される領域内には貫通孔４６が形成されている。貫通孔４６は、図示の実施形態においては、原稿給紙テーブル１４の、手前側の支持フランジ４２に近接した後側の位置（原稿給紙テーブル１４の幅方向の中央部）において、一定の幅で左右方向に延在するスリットから構成されている。作動レバー４０が支持フランジ４２の各々間に揺動自在に支持されたフリーの状態において、作動レバー４０は、支持ピン４４を含む軸手段を境界とする片側の一部分である被作動部４０ａの頂部側（ほぼ逆Ｖ形状の頂部側）が原稿給紙テーブル１４の貫通孔４６を通して該テーブル１４の表面から突出するよう上昇させられ、また支持ピン４４を含む軸手段を境界とする他側の他端部である遮蔽板部４０ｂの先端部は下降させられる。これは、作動レバー４０の、上記軸手段を境界とする片側（被作動部４０ａ側）よりも他側（遮蔽板部４０ｂ側）の方が重量が重くなるよう、その重量バランスが設定されていることに起因する。
【００２９】
原稿搬送装置本体１２は、全体を図示しない主静止枠の一部を構成する静止枠３０と、静止枠３０を含む主静止枠に装着された、合成樹脂製枠体３２とを備えており、先の実施形態と実質上同じ基本構成を有しているので、実質上同一部分は同一符号で示し、説明は省略する。原稿搬送装置本体１２のカバー部３２ｂには、作動レバー４０の遮蔽板部４０ｂに関連して貫通孔４８が形成されている。貫通孔４８は、カバー部３２ｂの上端水平部において、一定の幅で左右方向に延在するスリットから構成されている。先の実施形態におけると実質上同じ構成を有するセンサＳ１は、作動レバー４０の他端部である遮蔽板部４０ｂの先端部によってＯＮ−ＯＦＦ作動させられるよう、原稿搬送装置本体１２のカバー部３２ｂの内側において、静止枠３０に設けられた支持枠３８に配設されている。先に述べたように、作動レバー４０は、フリーの状態において、支持ピン４４を含む軸手段を境界とする片側の一部分である被作動部４０ａの頂部側が原稿給紙テーブル１４の貫通孔４６を通して該テーブル１４の表面から突出するよう上昇させられ、また支持ピン４４を含む軸手段を境界とする他側の他端部である遮蔽板部４０ｂの先端部は下降させられて、カバー部３２ｂの貫通孔４８を通してセンサＳ１の垂直側部間に位置付けられて発光素子から受光素子に向かって照射される光を遮断する（図４及び図５において実線で示される位置参照）。
【００３０】
上記原稿検知装置において、作動レバー４０は、軸手段を境界とする片側の一部分である被作動部４０ａの頂部側が上昇させられて原稿給紙テーブル１４の貫通孔４６を通して原稿給紙テーブル１４の表面から突出しかつ軸手段を境界とする他側における他端部である遮蔽板部４０ｂの先端部が下降させられて原稿搬送装置本体１２のカバー部３２ｂの貫通孔４８を通して原稿搬送装置本体１２の内側に突出する非作動位置と、原稿給紙テーブル１４上に載置された原稿により該一部分である被作動部４０ａの頂部側が押し下げられると共に他端部である遮蔽板部４０ｂの先端部が上昇させられる作動位置との間を揺動自在である。センサＳ１は、作動レバー４０の他端部である遮蔽板部４０ｂによってＯＮ−ＯＦＦ作動させられるよう原稿搬送装置本体１２の内側に配設されている。
【００３１】
原稿給紙テーブル１４上に所定サイズの原稿が載置されると、原稿給紙テーブル１４の貫通孔４６を通して原稿給紙テーブル１４の表面から突出するよう位置付けられている作動レバー４０の被作動部４０ａの頂部側が押し下げられて、作動レバー４０は非作動位置から作動位置に揺動させられる。これにより作動レバー４０の遮蔽板部４０ｂが上昇させられてセンサＳ１の内側から上方に離脱させられ、原稿有りが検知される。原稿給紙テーブル１４上から所定サイズの原稿が無くなると、作動レバー４０は作動位置から非作動位置に揺動させられる。作動レバー４０の遮蔽板部４０ｂが下降させられてセンサＳ１の内側に位置付けられ、原稿無しが検知される。
【００３２】
図４及び図５を参照して説明した本発明による原稿検知装置の他の実施形態においては、センサＳ１は原稿搬送装置本体１２に配設され、作動レバー４０は、原稿給紙テーブル１４に配設されているので、図１〜図３を参照して説明した先の実施形態におけると実質上同じ作用効果が達成されることは、改めて説明するまでもなく、容易に理解されるであろう。なお、図４及び図５を参照して説明した原稿検知装置は、作動手段が作動レバー４０のみにより構成されているので、図１〜図３を参照して説明した原稿検知装置と比較して、作動手段の構成がより簡単となり、部品点数も少なくなるので、一層のコストダウンを図ることが可能になる。
【００３３】
次に図６及び図７を参照して、本発明による原稿検知装置の更に他の実施形態について説明する。図示の原稿検知装置は、スイッチ手段を構成する光学式反射型センサＳ２と、センサＳ２をＯＮ−ＯＦＦ作動させるための作動手段を構成する作動レバー２０とを備えている。センサＳ２は原稿搬送装置本体１２に配設され、作動レバー２０は、原稿給紙テーブル１４に配設されている。この原稿検知装置は、原稿給紙テーブル１４上にセットされた所定サイズの原稿、例えば、ＪＩＳのＢ４サイズ、Ａ３サイズの原稿の長手方向位置を検知することができる。
【００３４】
図６及び図７と、図２及び図３とを比較することによって容易に理解されるように、図６及び図７に示されている作動手段である作動レバー２０であって、原稿給紙テーブル１４に揺動自在に支持された作動レバー２０の構成、作動レバー２０に関連して原稿給紙テーブル１４に配設された貫通孔２８、原稿搬送装置本体１２のカバー部３２ｂに形成された貫通孔３６等の構成及びレイアウトは、図２及び図３に示されているそれらの構成及びレイアウトと実質上同じであるので、同一部分は同一符号で示し、説明は省略する。なお、図６及び図７に示されている原稿検知装置における作動レバー２０は、図２及び図３に示す原稿検知装置における第１作動レバー２０と実質上同じ構成を有しているが、図６及び図７に示されている原稿検知装置においては、使用される作動レバーは１本のみであり、したがって単に「作動レバー２０」と称している。また、図６及び図７に示されている原稿検知装置における貫通孔２８は、センサＳ２の光路に関連して先の実施形態におけるよりも若干大きく形成されている。発光素子及び受光素子を備えたセンサＳ２は、原稿搬送装置本体１２のカバー部３２ｂの内側であって、貫通孔３６の軸方向下方において、静止枠３０に設けられた支持枠３８に配設されている。作動レバー２０は、支持フランジ２４の各々に揺動自在に支持されたフリーの状態において、支持ピン２６を含む軸手段を境界とする片側の一部分である一端部２０ａが原稿給紙テーブル１４の貫通孔２８を通して原稿給紙テーブル１４の表面から突出するよう上昇させられ、また他端部２０ｂは下降させられる。そして他端部２０ｂの下面は、原稿搬送装置本体１２のカバー部３２ｂの上端水平部の外側面であって、貫通孔３６が形成された外側水平面に対し、間隔をおいてほぼ平行に対向するよう位置付けられる。これは、作動レバー２０の、上記軸手段を境界とする片側（一端部２０ａ側）よりも他側（他端部２０ｂ側）の方が重量が重くなるよう、その重量バランスが設定されていることに起因する。なお、上記フリーの状態において、作動レバー２０の他端部２０ｂの下面が、カバー部３２ｂの上端水平部の外側面の上方に間隔をおいてほぼ平行に対向するよう、安定して位置付けられるようにするため、カバー部３２ｂの上端水平部の外側水平面に図示しない適宜のストッパを配設し、作動レバー２０の他端部２０ｂの下面が、該ストッパの上端面に当接させられるよう構成することが好ましい。
【００３５】
上記原稿検知装置において、作動レバー２０は、軸手段を境界とする片側の一部分である一端部２０ａが上昇させられて原稿給紙テーブル１４の貫通孔２８を通して原稿給紙テーブル１４の表面から突出しかつ軸手段を境界とする他側における他端部２０ｂが原稿搬送装置本体１２のカバー部３２ｂの貫通孔３６の外側であって原稿搬送装置本体１２の表面の外側に位置付けられる非作動位置と、原稿給紙テーブル１４上に載置された原稿により該一部分である一端部２０ａが押し下げられると共に他端部２０ｂが上昇させられる作動位置との間を揺動自在である。センサＳ２は、原稿搬送装置本体１２のカバー部３２ｂの貫通孔３６を通して作動レバー２０の他端部２０ｂに光を照射しうるよう、原稿搬送装置本体１２の内側に配設されている。
【００３６】
原稿給紙テーブル１４上に所定サイズの原稿が載置されると、原稿給紙テーブル１４の貫通孔２８を通して原稿給紙テーブル１４の表面から突出するよう位置付けられている作動レバー２０の一端部２０ａが押し下げられて、作動レバー２０は非作動位置から作動位置に揺動させられる。これにより作動レバー２０の他端部２０ｂが上昇させられて、他端部２０ｂの下面の、カバー部３２ｂの上端水平部の外側水平面に対する間隔が上方に広げられると共に上端水平部の外側水平面に対して平行であった他端部２０ｂの下面は、上端水平部の外側水平面に対し傾斜させられる。その結果、センサＳ２からカバー部３２ｂの貫通孔３６を通して他端部２０ｂの下面に照射された光の反射光の受光量が変化（減少）するので、原稿有りが検知される。原稿給紙テーブル１４上から所定サイズの原稿が無くなると、作動レバー２０は作動位置から非作動位置に揺動させられる。作動レバー２０の他端部２０ｂが下降させられて元の平行な位置に復帰させられ、センサＳ２から他端部２０ｂに照射された光の反射光の受光量が元のとおりに復帰させられる（増加させられる）ので、原稿無しが検知される。
【００３７】
図６及び図７を参照して説明した本発明による原稿検知装置の他の実施形態においては、センサＳ２は原稿搬送装置本体１２に配設され、作動レバー２０は、原稿給紙テーブル１４に配設されているので、図１〜図３を参照して説明した先の実施形態におけると実質上同じ作用効果が達成されることは、改めて説明するまでもなく、容易に理解されるであろう。なお、図６及び図７を参照して説明した原稿検知装置も、作動手段が作動レバー２０のみにより構成されているので、図１〜図３を参照して説明した原稿検知装置と比較して、作動手段の構成がより簡単となり、部品点数も少なくなるので、一層のコストダウンを図ることが可能になる。
【００３８】
次に図８及び図９を参照して、本発明による原稿検知装置の更に他の実施形態について説明する。この原稿検知装置は、原稿給紙テーブル１４上にセットされた所定サイズの原稿、例えば、ＪＩＳのＢ４サイズ、Ａ３サイズの原稿の長手方向位置を検知することができる。図示の原稿検知装置において、原稿給紙テーブル１４の、原稿が載置される領域内には貫通孔５０が形成されている。この貫通孔５０は、原稿給紙テーブル１４の、上流側端部であって幅方向のほぼ中央部（中央よりも若干後側寄りの位置）に形成されている。原稿搬送装置本体１２には光学式反射型センサＳ２が配設されている。更に具体的には、センサＳ２は、原稿搬送装置本体１２のカバー部３２ｂの内側において、静止枠３０に取り付けられた支持枠５２に装着されている。センサＳ２に関連して、カバー部３２ｂの手前側の垂直部には窓孔５４が形成されている。窓孔５４は透明板により覆われている。以上のようにして、センサＳ２は、カバー部３２ｂの窓孔５４及び原稿給紙テーブル１４の貫通孔５０を通して原稿給紙テーブル１４上に載置された原稿に光を照射しうるよう原稿搬送装置本体１２に配設されている。
【００３９】
原稿給紙テーブル１４上に所定サイズの原稿が載置されると、センサＳ２からの照射光は、窓孔５４及び原稿給紙テーブル１４の貫通孔５０を通して原稿に照射され、センサＳ２における反射光の受光量が変化（増加）するので、原稿有りが検知される。原稿給紙テーブル１４上から所定サイズの原稿が無くなると、センサＳ２における反射光の受光量が変化（減少）するので、原稿無しが検知される。
【００４０】
図８及び図９を参照して説明した本発明による原稿検知装置の他の実施形態において、センサＳ２は原稿搬送装置本体１２に配設され、原稿給紙テーブル１４には、センサＳ２から載置原稿に光を照射するための貫通孔５０が形成されているだけの簡単な構成を有している。特に、先の実施形態と比較して注目すべき特徴は、スイッチ手段をＯＮ−ＯＦＦ作動させるための作動手段が存在しないことである。その結果、先の実施形態におけると実質上同じ作用効果が達成されることはもちろんのこと、原稿検知装置自体の構成及び原稿給紙テーブル１４の構成は一層簡単となり、一層のコストダウンが可能になる。またスイッチ手段をＯＮ−ＯＦＦ作動させるための作動手段が存在しないことに起因して、原稿検知装置及び原稿給紙テーブル１４の組付作業性、分解作業性は著しく向上するので、セットアップ及びメンテナンスにおける作業性も著しく向上する。
【００４１】
図８及び図９に示されている原稿検知装置において、原稿給紙テーブル１４に形成されている貫通孔５０を透明部とする更に他の実施形態も成立する。この原稿検知装置は、原稿給紙テーブル１４の、少なくとも原稿が載置される領域内には透明部が形成され、原稿搬送装置本体１２には光学式反射型センサＳ２が配設され、センサＳ２は、原稿給紙テーブル１４の透明部を通して原稿給紙テーブル１４上に載置された原稿に光を照射しうるよう原稿搬送装置本体１２に配設されている、といえる。透明部はガラスまたは合成樹脂から構成される。また、原稿給紙テーブル１４全体を透明な合成樹脂から一体に形成する更に他の実施形態も成立する。これらの実施形態も、図８及び図９を参照して説明した原稿検知装置におけると実質上同じ作用効果が達成される。
【００４２】
次に図１０及び図１１を参照して、本発明による原稿検知装置の更に他の実施形態について説明する。この原稿検知装置は、原稿給紙テーブル１４上にセットされた所定サイズの原稿、例えば、ＪＩＳのＡ４サイズ、Ａ３サイズ、Ｂ５サイズ、Ｂ４サイズ等の原稿の幅方向位置を検知することができる。複写機本体１０２に装着された原稿搬送装置１０は、先の実施形態におけると同様に、原稿搬送装置本体１２と、原稿搬送装置本体１２に装着された原稿給紙テーブル１４と、原稿給紙テーブル１４の下方に間隔をおいて配設された原稿排出トレイ１６と、原稿給紙テーブル１４上にセットされた原稿を原稿搬送路を通して搬送して原稿排出トレイ１６上に排出する原稿搬送手段と、原稿を、そのサイズに応じて原稿給紙テーブル１４の所定の幅方向位置に位置付けるため、該幅方向に相互に接近及び離隔する方向に移動自在に配設された一対の幅規制部材１８と、幅規制部材１８の各々を同期して連動させる図示しない連動機構とを含んでいる。
【００４３】
図示の原稿検知装置において、原稿給紙テーブル１４の裏側には、一対の幅規制部材１８のうちの片方の幅規制部材１８に一体に設けられて、後述するスイッチ手段をＯＮ−ＯＦＦ作動させることができる作動手段が配設され、原稿搬送装置本体１２には、作動手段の該幅方向への移動径路に対向しかつ該幅方向に間隔をおいて複数の該スイッチ手段が配置されている。更に具体的に説明すると、原稿給紙テーブル１４には、片方の幅規制部材１８の該幅方向への移動径路に沿って延在するスリット６０が形成されている。例えば、ＡＢＳ樹脂等の適宜の合成樹脂から一体に成形することができる一対の幅規制部材１８のうちの片方の幅規制部材１８には、スリット６０を通して原稿給紙テーブル１４の裏側に突出する脚部１８ａが一体に形成されている。この脚部１８ａの下端にはスイッチ手段をＯＮ−ＯＦＦ作動させることができる該作動手段である永久磁石６２が配設されている。上記スイッチ手段の各々はリードスイッチ６４から構成されている。原稿搬送装置本体１２の前端部及び後端部間には前後方向に延在する支持フレーム６６が配設されている。支持フレーム６６の前端部は、原稿搬送装置本体１２の前端部に配設された図示しない支持壁部に支持され、支持フレーム６６の後端部は、原稿搬送装置本体１２の後端部に配設された上記静止枠３０に支持されている。リードスイッチ６４の各々は、相互に間隔をおいて支持フレーム６６の上面側に配設されている。リードスイッチ６４の各々の位置は、片方の幅規制部材１８の、原稿のサイズに対応した複数の幅方向規制位置に対応して配置されている。したがって幅規制部材１８の各々を所定の幅方向位置に移動させて位置付けると、片方の幅規制部材１８の脚部１８ａに配設された永久磁石６２がリードスイッチ６４のうちの一つの上方に間隔をおいて位置付けられるので、該リードスイッチ６４がＯＮ作動させられ、所定の原稿の幅方向位置を検知することができる。
【００４４】
図１０及び図１１を参照して説明した本発明による原稿検知装置の他の実施形態においては、スイッチ手段の各々を構成するリードスイッチ６４は原稿搬送装置本体１２側に配設され、作動手段を構成する永久磁石６２は原稿給紙テーブル１４側における片方の幅規制部材１８に配設されているので、図１〜図３を参照して説明した先の実施形態におけると実質上同じ作用効果が達成されることは、改めて説明するまでもなく、容易に理解されるであろう。
【００４５】
次に図１２及び図１３を参照して、本発明による原稿検知装置の更に他の実施形態について説明する。図１２及び図１３に示されている原稿検知装置が、図１０及び図１１を参照して説明した原稿検知装置と相違するところは、上記作動手段が片方の幅規制部材１８に一体に設けられた作動部１８ｂから構成され、上記スイッチ手段の各々がマイクロスイッチ６８から構成されていることであって、その他の構成は実質上同じであるので、同一部分は同一符号で示し、説明は省略する。作動部１８ｂは片方の幅規制部材１８の脚部１８ａの下端部により構成されている。作動部１８ｂ、したがって脚部１８ａの下端部は、原稿搬送装置１０を前後方向に見て一定の厚さを有するよう形成され、また、原稿搬送装置１０を左右方向に見て円弧状の下端面を有するよう形成されている。幅規制部材１８の各々を所定の幅方向位置に移動させて位置付けると、片方の幅規制部材１８の脚部１８ａに配設された作動部１８ｂがマイクロスイッチ６８のうちの一つの上方に位置付けられるので、該マイクロスイッチ６８がＯＮ作動させられ、所定の原稿の幅方向位置を検知することができる。図１２及び図１３を参照して説明した本発明による原稿検知装置の他の実施形態においても、図１０及び図１１に示されている原稿検知装置と実質上同じ特徴ある基本的構成を有しているので、図１〜図３を参照して説明した先の実施形態におけると実質上同じ作用効果を達成することができる。
【００４６】
次に図１４及び図１５を参照して、本発明による原稿検知装置の更に他の実施形態について説明する。図１４及び図１５に示されている原稿検知装置が、図１０及び図１１を参照して説明した原稿検知装置と相違するところは、上記作動手段が片方の幅規制部材１８に一体に設けられた光遮蔽部１８ｃから構成され、上記スイッチ手段の各々が光学式透過型センサＳ１から構成されていることであって、その他の構成は実質上同じであるので、同一部分は同一符号で示し、説明は省略する。光遮蔽部１８ｃは片方の幅規制部材１８の脚部１８ａの下端部により構成されている。光遮断部１８ｃ、したがって脚部１８ａの下端部は、原稿搬送装置１０を前後方向に見て一定の厚さを有するよう形成され、また、原稿搬送装置１０を左右方向に見てほぼ矩形状をなすよう形成されている。幅規制部材１８の各々を所定の幅方向位置に移動させて位置付けると、片方の幅規制部材１８の脚部１８ａに配設された光遮蔽部１８ｃがセンサＳ１のうちの一つの内側に位置付けられるので、発光素子からの光を遮断して、所定の原稿の幅方向位置を検知することができる。図１４及び図１５を参照して説明した本発明による原稿検知装置の他の実施形態においても、図１０及び図１１に示されている原稿検知装置と実質上同じ特徴ある基本的構成を有しているので、図１〜図３を参照して説明した先の実施形態におけると実質上同じ作用効果を達成することができる。
【００４７】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。例えば、図１〜図３を参照して説明した原稿検知装置、及び、図４及び図５を参照して説明した原稿検知装置において、スイッチ手段は光学式透過型センサＳ１から構成されているが、これに代えて他のスイッチ手段、例えばマイクロスイッチを使用する他の実施形態も可能である。また、図１〜図３を参照して説明した原稿検知装置、及び、図６及び図７を参照して説明した原稿検知装置において、第１作動レバー２０が非作動位置に位置付けられた状態において、軸手段を境界とする片側の一部分である一端部２０ａが原稿給紙テーブル１４の貫通孔２８を通して該テーブル１４の表面から突出するよう位置付けられるよう構成されているが、一端部２０ａではなく、軸手段を境界とする片側の一部分、例えば片側の中間部が原稿給紙テーブル１４の貫通孔２８を通して該テーブル１４の表面から突出するよう位置付けられるよう構成される他の実施形態もある。この実施形態の場合、第１作動レバー２０における片側は棒形状に形成されると共に該片側の中間部はほぼ逆Ｖ形状をなすように形成されることが好ましい（例えば、図４及び図５に示される原稿検知装置における作動レバー４０の被作動部４０ａと同じような構成とすることが好ましい）。また、図４及び図５を参照して説明した原稿検知装置において、作動レバー４０が非作動位置に位置付けられた状態において、軸手段を境界とする片側の一部分である被作動部４０ａの頂部側が上昇させられて原稿給紙テーブル１４の貫通孔４６を通して原稿給紙テーブル１４の表面から突出するよう構成されているが、これに代えて、軸手段を境界とする片側の一端部、例えば図２及び図３に示すような形態の一端部（２０ａ）が原稿給紙テーブル１４の貫通孔４６を通して原稿給紙テーブル１４の表面から突出するよう構成される他の実施形態もある。
【００４８】
【発明の効果】
本発明による原稿検知装置によれば、原稿給紙テーブルの構造を従来よりも簡単にすることを可能にし、その結果、原稿搬送装置を従来よりも低コストで製造することを可能にする。また、従来よりも部品点数を少なくすることを可能にし、その結果、原稿搬送装置を従来よりも低コストで製造することを可能にする。更にはまた、電線を必要とする電気部品を原稿給紙テーブルに配設することなく、原稿給紙テーブル上に載置された原稿の検知を可能にし、その結果、電線処理作業を従来よりも容易に遂行することが可能となり、セットアップ及びメンテナンスにおける優れた作業性を確保することを可能にする。
【図面の簡単な説明】
【図１】本発明による原稿検知装置の実施形態を備えた原稿搬送装置を含む複写機の一部を示す斜視図。
【図２】図１に示す原稿搬送装置において、該原稿検知装置を含む原稿給紙テーブル及び原稿搬送装置本体の一部を、原稿搬送装置を正面から見て左右方向に沿って破断して示す断面図。
【図３】図２のＡ−Ａ矢視断面図。
【図４】本発明による原稿検知装置の他の実施形態を備えた原稿搬送装置の一部を示す断面図であって、図２に示すと同様な断面図。
【図５】図４のＢ−Ｂ矢視断面図。
【図６】本発明による原稿検知装置の更に他の実施形態を備えた原稿搬送装置の一部を示す断面図であって、図２に示すと同様な断面図。
【図７】図６のＣ−Ｃ矢視断面図。
【図８】本発明による原稿検知装置の更に他の実施形態を備えた原稿搬送装置を含む複写機の一部を、原稿給紙テーブルの一部を破断して示す正面図。
【図９】図８に示す複写機の一部を、図８において右方から見た側面図であって、原稿搬送装置の一部を断面にして示す側面図。
【図１０】本発明による原稿検知装置の更に他の実施形態を備えた原稿搬送装置を含む複写機の一部を、複写機を正面から見て左右方向に沿って破断して示す断面図。
【図１１】図１０に示す原稿搬送装置における原稿検知装置の部分を、図１０において表裏方向に沿って破断して示す断面図。
【図１２】本発明による原稿検知装置の更に他の実施形態を備えた原稿搬送装置を含む複写機の一部を、複写機を正面から見て左右方向に沿って破断して示す断面図。
【図１３】図１２に示す原稿搬送装置における原稿検知装置の部分を、図１２において表裏方向に沿って破断して示す断面図。
【図１４】本発明による原稿検知装置の更に他の実施形態を備えた原稿搬送装置を含む複写機の一部を、複写機を正面から見て左右方向に沿って破断して示す断面図。
【図１５】図１４に示す原稿搬送装置における原稿検知装置の部分を、図１４において表裏方向に沿って破断して示す断面図。
【符号の説明】
１０  原稿搬送装置
１２  原稿搬送装置本体
１４  原稿給紙テーブル
１８  幅規制部材
１８ａ  脚部
１８ｂ  作動部
１８ｃ  光遮蔽部
２０  第１作動レバー（作動レバー）
２２  第２作動レバー
３０  静止枠
３２  合成樹脂製枠体
３２ｂ  カバー部
４０  作動レバー
５０  貫通孔
６０  スリット
６２  永久磁石
６４  リードスイッチ
６８  マイクロスイッチ
１００  複写機
１０２  複写機本体
Ｓ１  光学式透過型センサ
Ｓ２  光学式反射型センサ
【図１】
0003561880.tif 000002
【図２】
0003561880.tif 000003
【図３】
0003561880.tif 000004
【図４】
0003561880.tif 000005
【図５】
0003561880.tif 000006
【図６】
0003561880.tif 000007
【図７】
0003561880.tif 000008
【図８】
0003561880.tif 000009
【図９】
0003561880.tif 000010
【図１０】
0003561880.tif 000011
【図１１】
0003561880.tif 000012
【図１２】
0003561880.tif 000013
【図１３】
0003561880.tif 000014
【図１４】
0003561880.tif 000015
【図１５】
0003561880.tif 000016